(57)【要約】【課題】簡易な構成で、腹部に対する圧迫感を軽減でき、快適に着用することができるとともに、良好な外観を得ることができるマタニティウエアを提供する。【解決手段】デニム生地で形成されたウエア本体１１の前面上部には、左下がりの傾斜部１２ａを有する第１リブ１２と右下がりの傾斜部１３ａを有する第２リブ１３とが重ね合せて縫合されるとともに、第１リブ１２の傾斜部１２ａと第２リブ１３の傾斜部１３ａとがクロスしてクロス部分１６が形成されている。そのクロス部分１６は、その他の部分よりも幅広に形成されている。第１リブ１２及び第２リブ１３は伸縮性を有する素材で形成され、クロス部分１６は非縫合部で構成され、第１リブ１２と第２リブ１３とが独立して伸縮可能になっている。【選択図】図１
0003175227.tif 000002
【実用新案登録請求の範囲】
【請求項１】
ウエア本体の前面上部には、左下がりの傾斜部を有する第１リブと右下がりの傾斜部を有する第２リブとが重ね合せて縫合されるとともに、前記第１リブの左下がりの傾斜部と第２リブの右下がりの傾斜部とがクロスするように構成され、そのクロス部分がその他の部分よりも幅広に形成されていることを特徴とするマタニティウエア。
【請求項２】
前記第１リブの左下がりの傾斜部と第２リブの右下がりの傾斜部とはウエア本体の前面中央位置を中心にしてクロスするように構成され、そのクロス部分が最も幅広に形成され、該クロス部分を中心にして両側方へ次第に幅狭になるように形成されていることを特徴とする請求項１に記載のマタニティウエア。
【請求項３】
前記第１リブ及び第２リブは伸縮性を有する素材で形成され、前記クロス部分が非縫合部で構成され、第１リブと第２リブとが独立して伸縮可能に構成されていることを特徴とする請求項１又は請求項２に記載のマタニティウエア。
【請求項４】
前記ウエア本体はデニム生地で形成されるとともに、第１リブ及び第２リブは伸縮性を有する素材で形成されていることを特徴とする請求項１から請求項３のいずれか一項に記載のマタニティウエア。
【請求項５】
マタニティジーンズであることを特徴とする請求項１から請求項４のいずれか一項に記載のマタニティウエア。
【考案の詳細な説明】
【技術分野】
【０００１】
本考案は、例えばマタニティジーンズ、マタニティショーツ等として使用され、腹部の圧迫感を軽減できるとともに、フィット感が良く、快適に着用することができるマタニティウエアに関する。
【背景技術】
【０００２】
従来のマタニティウエアは妊婦の腹部全体を包み込むように作製され、目立つ腹部を隠すように構成されていた。すなわち、マタニティウエアは、妊婦の大きくなっていく腹部をできるだけ目立ち難くするように構成されていた。斯かる従来のマタニティウエアはデザイン性に乏しく、腹部を圧迫して着用感の悪いものであった。そこで、近年そのような欠点を改善するためのマタニティウエアが種々提案されている。
【０００３】
この種のマタニティウエアが例えば特許文献１に示されている。すなわち、斯かるマタニティウエアは、パンツ部又はスカート部の上端に着用者の腹部を覆う伸縮自在のリブ部が縫合され、そのリブ部は一対の互いに独立して伸縮自在な略三角形状部分を前で合せたクロスリブ形態となっている。そして、着用者の腹部が膨らんだときにはそれに追従してリブ部が拡がり、一方腹部が緩いときにはリブ部を折り返して着用できるようになっている。
【先行技術文献】
【特許文献】
【０００４】
【特許文献１】実用新案登録第３１０９１０２号公報
【考案の概要】
【考案が解決しようとする課題】
【０００５】
前記特許文献１に記載された従来構成のマタニティウエアにおいては、リブ部が前面では三角形状部分によりクロスリブ形態になっているが、その幅は全周に亘ってほぼ一定に形成されている。このように、マタニティウエアのリブ部の幅が、大きくなっていく妊婦の腹部に比べて狭く形成されている。言い換えれば、マタニティウエアのリブ部は腹部の一部を帯状に支える状態になり、腹部に対する感触が悪く、フィット感が良くない上に、圧迫感を十分に軽減することができないという欠点があった。そのため、マタニティウエアを着用するときには、リブ部を腹部の下部側へ下げたり、上部側に少し持ち上げたりして調整しなければならず、そのような調整は面倒であるとともに、腹部に対する圧迫感を適切かつ十分に抑制することが難しいという問題があった。
【０００６】
そこで、本考案の目的とするところは、簡易な構成で、腹部に対する圧迫感を軽減でき、快適に着用することができるとともに、良好な外観を得ることができるマタニティウエアを提供することにある。
【課題を解決するための手段】
【０００７】
上記の目的を達成するために、請求項１に係る考案のマタニティウエアは、ウエア本体の前面上部には、左下がりの傾斜部を有する第１リブと右下がりの傾斜部を有する第２リブとが重ね合せて縫合されるとともに、前記第１リブの左下がりの傾斜部と第２リブの右下がりの傾斜部とがクロスするように構成され、そのクロス部分がその他の部分よりも幅広に形成されていることを特徴とする。
【０００８】
請求項２に記載の考案のマタニティウエアは、請求項１に係る考案において、前記第１リブの左下がりの傾斜部と第２リブの右下がりの傾斜部とはウエア本体の前面中央位置を中心にしてクロスするように構成され、そのクロス部分が最も幅広に形成され、該クロス部分を中心にして両側方へ次第に幅狭になるように形成されていることを特徴とする。
【０００９】
請求項３に記載の考案のマタニティウエアは、請求項１又は請求項２に係る考案において、前記第１リブ及び第２リブは伸縮性を有する素材で形成され、前記クロス部分が非縫合部で構成され、第１リブと第２リブとが独立して伸縮可能に構成されていることを特徴とする。
【００１０】
請求項４に記載の考案のマタニティウエアは、請求項１から請求項３のいずれか一項に係る考案において、前記ウエア本体はデニム生地で形成されるとともに、第１リブ及び第２リブは伸縮性を有する素材で形成されていることを特徴とする。
【００１１】
請求項５に記載の考案のマタニティウエアは、請求項１から請求項４のいずれか一項に係る考案において、マタニティジーンズであることを特徴とする。
【考案の効果】
【００１２】
本考案によれば、以下のような効果を発揮することができる。
本考案のマタニティウエアは、ウエア本体の前面上部には、左下がりの傾斜部を有する第１リブと、右下がりの傾斜部を有する第２リブとが重ね合せて縫合されている。そして、第１リブの傾斜部と第２リブの傾斜部とがクロスするように構成され、そのクロス部分がその他の部分よりも幅広に形成されている。このため、マタニティウエアの着用者の下腹部が、幅広に形成されたクロス部分を中心とする部分に支えられるとともに、上腹部が開口される。従って、腹部の突き出した部分が下から全体的に支えられると同時に、胃部の部分が開放され、胃部への圧迫が抑制される。
【００１３】
よって、本考案のマタニティウエアによれば、簡易な構成で、腹部に対する圧迫感を軽減でき、快適に着用することができるとともに、良好な外観を得ることができるという効果を奏する。
【図面の簡単な説明】
【００１４】
【図１】本考案の第１実施形態におけるマタニティジーンズを妊婦が着用した状態を示す斜視図。
【図２】そのマタニティジーンズを示す分解斜視図。
【図３】ジーンズ本体の前身頃の半分を示す正面図。
【図４】ジーンズ本体の後身頃の半分を示す正面図。
【図５】第１リブ及び第２リブを示す正面図。
【図６】第１リブ及び第２リブの後部を示す正面図。
【図７】本考案の第２実施形態におけるマタニティショーツを示す斜視図。
【図８】マタニティショーツの前身頃を示す正面図。
【図９】マタニティショーツの後身頃を示す正面図。
【図１０】マタニティショーツの股部材を示す正面図。
【図１１】（ａ）はマタニティショーツの第１リブと第２リブを一体にしたリブを示す正面図、（ｂ）はその一体にしたリブに挟み込まれる中芯を示す正面図。
【考案を実施するための形態】
【００１５】
（第１実施形態）
以下、本考案の第１実施形態におけるマタニティジーンズを図１〜図６に基づいて詳細に説明する。
【００１６】
図１及び図２に示すように、第１実施形態のマタニティジーンズ１０の下半部を構成するウエア本体１１の上端部には、左下がりの傾斜部１２ａを有する第１リブ１２と右下がりの傾斜部１３ａを有する第２リブ１３とよりなるリブ１４が縫合されている。ウエア本体１１は、デニム生地により形成された各部材を縫い合わせてショートジーンズに構成されている。このウエア本体１１は股上が浅めであり、着心地が楽なスタイルで、シルエットが美しいジーンズになっている。前記第１リブ１２及び第２リブ１３は伸縮性を有する素材で形成され、第１リブ１２及び第２リブ１３がウエア本体１１のウエストベルト部分１５に重ね合せて縫い合わされ、マタニティジーンズ１０の上半部を構成している。
【００１７】
伸縮性を有する素材としては、綿糸とポリウレタン糸とを撚り合わせた糸（コットンベア天竺）、ポリウレタン糸、ポリエステル糸等により形成された素材が用いられる。これらの伸縮性を有する素材は、縦横の伸縮性（ストレッチ性）に優れ、肌触りが柔らかく、フィット感や通気性に優れている。
【００１８】
第１リブ１２と第２リブ１３がウエア本体１１に縫合されたとき、第１リブ１２の左下がりの傾斜部１２ａと第２リブ１３の右下がりの傾斜部１３ａとが前面中央位置でクロス（交差）するように構成され、そのクロス部分１６が前面から見てＶ字状に形成されている。第１リブ１２と第２リブ１３の各傾斜部１２ａ、１３ａの傾斜角度は同じに設定することが、腹部１７を両側から均等に支えるとともに、外観を良好に維持する観点から好ましい。第１リブ１２及び第２リブ１３の各傾斜部１２ａ、１３ａの水平方向に対する傾斜角度は１０〜２０度程度に設定される。前記クロス部分１６は縫い合わされることなく非縫合部となり、そのクロス部分１６において第１リブ１２と第２リブ１３とが独立して伸縮できるように構成されている。
【００１９】
また、そのクロス部分１６がその他の部分よりも上下方向に幅広に形成されている。すなわち、図２に示すように、クロス部分１６の幅Ｄが最も幅広に形成され、該クロス部分１６を中心にして両側方が次第に幅狭になるように形成されている。
【００２０】
次に、上記マタニティジーンズ１０の縫製方法について説明する。
このマタニティジーンズ１０のウエア本体１１の縫製は常法に従って行われる。図３に示すように、ウエア本体１１を構成する一対の前身頃１８を折り返し線１９で折り返した状態で前中心部２０にて左右に縫い合わせる。図４に示すように、一対の後身頃２１を折り返し線２２で折り返した状態で、後中心部２３を合せて左右に縫い合わせる。そして、後身頃２１に前身頃１８を合せて脇部分２４を縫い合わせる。続いて、ウエア本体１１の上端部に前記ウエストベルト部分１５を縫い付ける。なお、前身頃１８及び後身頃２１にはポケット部２５等が設けられている。
【００２１】
一方、図６に示すように、リブ１４の一対の後身頃部材２６は、その折り目２７を中心にして折り返し、中心側端部２６ａ同士を縫い合わせる。後身頃部材２６の他端部は脇側端部２６ｂとなっている。図５に示すように、第１リブ１２及び第２リブ１３は傾斜部１２ａ、１３ａと湾曲部１２ｃ、１３ｃとを有し、端部が脇端部１２ｂ、１３ｂとなっている。そして、図２に示すように、第１リブ１２の左下がりの傾斜部１２ａが下で、第２リブ１３の右下がりの傾斜部１３ａが上になるように重ね合せ、湾曲部１２ｃ、１３ｃをウエア本体１１のウエストベルト部分１５の縫い代１５ａに縫い付ける。後身頃部材２６もウエストベルト部分１５の縫い代１５ａに縫い付ける。その後、第１リブ１２及び第２リブ１３の脇端部１２ｂ、１３ｂと後身頃部材２６の脇側端部２６ｂを縫い合わせる。このようにして、図１に示すようなマタニティジーンズ１０を製作することができる。
【００２２】
次に、前記のように構成された第１実施形態のマタニティジーンズ１０について作用を説明する。
さて、図１に示すように、妊婦がマタニティジーンズ１０を着用するときには、第１リブ１２及び第２リブ１３の上端部を把持して少し拡げ、その状態で右足と左足を順にウエア本体１１の足口部分１１ａに通す。このとき、両リブ１２、１３が伸縮性を有し、それぞれ独立して伸縮可能になっていることから速やかに着用することができる。マタニティジーンズ１０を着用した状態では、妊婦の下腹部１７ａが主に第１リブ１２と第２リブ１３の幅広に形成されたクロス部分１６とその両側の重ね合せ部分で両サイドから支えられる。このため、妊婦の下腹部１７ａは最もせり出した前面中央部を中心にして両リブ１２、１３に安定した状態で保持される。
【００２３】
このとき、第１リブ１２と第２リブ１３によるクロス部分１６が前面中央部に形成され、前面中央上部が開口されていることから、妊婦の胃部（上腹部）１７ｂはその開口部に位置し、締め付けられることはない。しかも、第１リブ１２と第２リブ１３のクロス部分１６は縫い合されておらず、第１リブ１２と第２リブ１３とが個々に伸縮するため、腹部１７の大きさに応じた伸縮が行われる。従って、妊婦の胃部１７ｂに圧迫感はなく、腹部１７全体が心地良く保持される。
【００２４】
以上の第１実施形態によって得られる効果を以下にまとめて記載する。
（１）この第１実施形態のマタニティジーンズ１０は、前面上部に左下がりの傾斜部１２ａを有する第１リブ１２と、右下がりの傾斜部１３ａを有する第２リブ１３とが重ね合せて縫合されている。そして、第１リブ１２の傾斜部１２ａと第２リブ１３の傾斜部１３ａとにより形成されたクロス部分１６がその他の部分よりも幅広に形成されている。このため、妊婦の下腹部１７ａが、幅広に形成されたクロス部分１６に支持されるとともに、胃部１７ｂが開放される。従って、腹部１７の突き出した部分が下から全体的に支持されると同時に、胃部１７ｂが開放され、胃部１７ｂへの圧迫が抑制される。
【００２５】
よって、第１実施形態のマタニティジーンズ１０によれば、簡易な構成で、腹部１７に対する圧迫感を十分に軽減でき、妊娠中のどの段階においても快適に着用することができるとともに、良好な外観を得ることができるという効果を奏する。
（２）前記第１リブ１２の傾斜部１２ａと第２リブ１３の傾斜部１３ａとはウエア本体１１の前面中央位置を中心にしてクロスするように構成され、そのクロス部分１６が最も幅広に形成され、該クロス部分１６を中心にして両側方へ次第に幅狭になるように形成されている。そのため、リブ１４の形状が妊婦の腹部１７の形状に対応しており、リブ１４が腹部１７にフィットして快適な履き心地を得ることができる。
（３）前記第１リブ１２及び第２リブ１３は伸縮性を有する素材で形成され、クロス部分１６が非縫合部で構成され、第１リブ１２と第２リブ１３とが独立して伸縮可能に構成されている。従って、クロス部分１６における第１リブ１２と第２リブ１３の独立性が発揮され、両リブ１２、１３がそれぞれ伸縮性を発現することができて、快適性を向上させることができる。
（４）前記ウエア本体１１はデニム生地で形成されるとともに、第１リブ１２及び第２リブ１３は伸縮性を有する素材で形成されている。そのため、ウエア本体１１はジーンズとしての機能を良好に発現できると同時に、第１リブ１２及び第２リブ１３は腹部１７に対する快適性を向上させることができる。
（５）前記マタニティウエアはマタニティジーンズ１０である。このため、妊婦は腹部１７が次第に大きくせり出してもマタニティジーンズ１０を着用してそのデザインを存分に楽しむことができる。
（第２実施形態）
次に、本考案の第２実施形態におけるマタニティショーツを図７〜図１１に基づいて説明する。なお、前記第１実施形態と同一部分についてはその説明を省略する。
【００２６】
図７に示すように、マタニティショーツ３０のウエア本体３１は伸縮性を有する素材により形成されたショーツである。そのウエア本体３１の前面上端部には、左下がりの傾斜部３２ａを有する第１リブ３２と、右下がりの傾斜部３３ａを有する第２リブ３３とが重ね合せて縫合されている。これら第１リブ３２と第２リブ３３とは、ウエア本体３１と同じ伸縮性を有する素材で形成されている。前記第１リブ３２の傾斜部３２ａと第２リブ３３の傾斜部３３ａとはクロスして前面中央部にクロス部分３４が形成されている。また、第１リブ３２及び第２リブ３３の内部には伸縮性を有する後述の中芯３５が挟み込まれて構成されている。
【００２７】
続いて、このマタニティショーツ３０の縫製方法について説明する。
図１１（ａ）に示すように、第１リブ３２及び第２リブ３３は図１１（ｂ）に示す中芯３５を重ね合せて挟み込み、折り線３６を中心にして２つ折りにし、縫い合わせて形成される。第１リブ３２及び第２リブ３３の一側縁には縫い代３７が設けられている。図１０に示す股部材３８に、図８に示す前身頃３９及び図９に示す後身頃４０を縫い付ける。そして、図７に示すように、股部材３８、前身頃３９及び後身頃４０の足口部分４１にレース４３を縫い付ける。次いで、前身頃３９と後身頃４０の左右の脇部分４４を縫い合わせる。
【００２８】
その後、前身頃３９と後身頃４０の上縁部４５に前記第１リブ３２及び第２リブ３３の縫い代３７を合せて縫い付けることにより、前身頃３９と後身頃４０に第１リブ３２と第２リブ３３を接合する。接合後の第１リブ３２と第２リブ３３の前面中央下部には花柄の装飾部材４６を縫い付ける。このようにして、図７に示すように、前面中央部にクロス部分３４が設けられたマタニティショーツ３０が得られる。
【００２９】
さて、妊婦がマタニティショーツ３０を着用する場合には、第１リブ３２と第２リブ３３を把持して拡げ、両足を足口部分４１に順に通すことにより着用する。このとき、第１リブ３２及び第２リブ３３はウエア本体３１と同じ伸縮性を有する素材で形成されるとともに、ほぼ一定幅で形成されているため、妊婦は普通のショーツと同じように違和感なく着用することができる。マタニティショーツ３０の着用後には、第１リブ３２と第２リブ３３のクロス部分３４で妊婦の下腹部１７ａが支えられる。
【００３０】
このとき、第１リブ３２と第２リブ３３には中芯３５が挟み込まれていることから、下腹部１７ａの保持力を高めることができるとともに、両リブ３２、３３の耐久性を向上させることができる。さらに、前記クロス部分３４の上方は開口され、胃部１７ｂが開放されて締め付けが回避される。従って、妊婦の下腹部１７ａは両サイドから支持されると同時に、胃部１７ｂは圧迫されず、マタニティショーツ３０を心地良く着用することができる。
【００３１】
なお、前記各実施形態は、次のように変更して具体化することも可能である。
・  第１実施形態のマタニティジーンズ１０において、第１リブ１２と第２リブ１３のクロス部分１６を前面中央部から左右にずらすように構成してもよい。
【００３２】
・  第１実施形態のマタニティジーンズ１０において、第１リブ１２と第２リブ１３の傾斜部１２ａ、１３ａの傾斜角度を２０度よりも大きく設定し、クロス部分１６の上方の開口部を広くするとともに、腹部１７の両側を十分に保持できるようにしてもよい。或いは、第１リブ１２の傾斜部１２ａの傾斜角度と第２リブ１３の傾斜部１３ａの傾斜角度を異なるように設定してもよい。
【００３３】
・  第２実施形態のマタニティショーツ３０において、第１リブ１２と第２リブ１３のクロス部分１６を両側部に比べて幅広に形成してもよい。
・  本考案のマタニティウエアとして、スカート、ズボン、ブラジャー等に適用することも可能である。
【００３４】
・  本考案のマタニティウエアを妊婦以外のウエストサイズの大きい人などが着用してもよい。
【符号の説明】
【００３５】
１０…マタニティウエアとしてのマタニティジーンズ、１１…ウエア本体、１２…第１リブ、１２ａ…左下がりの傾斜部、１３…第２リブ、１３ａ…右下がりの傾斜部、１６…クロス部分。
【図１】
0003175227.tif 000003
【図２】
0003175227.tif 000004
【図３】
0003175227.tif 000005
【図４】
0003175227.tif 000006
【図５】
0003175227.tif 000007
【図６】
0003175227.tif 000008
【図７】
0003175227.tif 000009
【図８】
0003175227.tif 000010
【図９】
0003175227.tif 000011
【図１０】
0003175227.tif 000012
【図１１】
0003175227.tif 000013